(57)【要約】【課題】調理用コップの容器部分がガラスでも、清掃性の良い電動調理器を提供する。【解決手段】電動機２に通電させる為の通電機構３を内蔵する本体１と、容器１６とハンドル１３と容器蓋１４とカッター台１２と容器台１７から成ると共に本体１に載置される調理用コップ３０と、前記通電機構３と連動し調理用コップ３０を検知するコップ検知手段５と、容器１６とカッター台１２を封密するための防水シール材１１と、容器１６の上方開口部１６ｅを覆う容器蓋１４を検知しコップ検知手段５に伝達する容器蓋検知手段１５を備え、容器１６と容器台１７に各々に対応した容器凸部１６ａと容器台凹部１７ａを設けて、容器１６が任意の位置で容器台１７に装着できるようにしたもので、容器１６をガラスなどで形成しても、調理用コップ３０の分解・組み立て時に、容易に前記容器１６と容器蓋検知手段１５を前記容器台１７の所定の位置に確実に装着させることができる。【選択図】図１
2010252825.tif 000002
【特許請求の範囲】
【請求項１】
電動機と前記電動機に通電させる為の通電機構を内蔵する本体と、容器とハンドルと容器蓋とカッター台と容器台から成ると共に前記本体に着脱自在に載置される調理用コップと、前記容器台に設けられ前記本体の本体嵌合部と位置決めする容器台嵌合部と、前記通電機構と連動すると共に前記調理用コップの前記本体への載置を検知するコップ検知手段と、前記カッター台に回転自在に設けられると共に前記電動機で回転駆動されるカッターと、前記容器と前記カッター台を封密するための防水シール材と、前記容器の上方開口部を覆う容器蓋を検知し前記コップ検知手段に伝達する容器蓋検知手段を備え、前記容器と前記容器台に各々に対応した凹凸部分を設けて、前記容器が任意の位置で前記容器台に装着できるように構成した電動調理器。
【請求項２】
凹凸部分の断面形状を略三角形や略台形状に構成した請求項１記載の電動調理器。
【請求項３】
凹凸部分の一つとして容器に容器凸部を設け、容器台に片側が可動な容器台爪部を設け、前記容器凸部を、前記容器台の一部と前記容器台爪部とで上下に挟み込むようにして、前記容器台と前記容器を着脱自在に構成した請求項１又は２に記載の電動調理器。
【請求項４】
ハンドルと容器を一体に構成すると共に、容器蓋検知手段を前記容器と分離可能に構成にした請求項１〜３のいずれか１項に記載の電動調理器。
【請求項５】
ハンドルにハンドル接続部を設け、前記容器の外周部と前記ハンドル接続部の内周に各々に対応した凹凸部分を設けて、前記ハンドルを前記容器と着脱自在に構成した請求項１〜３のいずれか１項に記載の電動調理器。
【請求項６】
容器とカッター台の着脱は、前記容器に設けられた容器雄ねじ部と、前記カッター台に設けられたカッター台雌ねじ部で行なうように構成した請求項１〜５のいずれか１項に記載の電動調理器。
【発明の詳細な説明】
【技術分野】
【０００１】
本発明は、容器蓋に連動した安全装置を有し、野菜、果実などを入れてカッターにより切削撹拌してジュースなどの調理物を作る電動調理器に関するものである。
【背景技術】
【０００２】
従来の容器蓋に連動した安全装置を有する電動調理器について、図６を用いて説明する。図６は、従来の電動調理器の断面図である。
【０００３】
図６において、従来の電動調理器の本体１は、本体側コネクター４と連結された電動機２と、電動機２に通電させるための通電機構３を内蔵している。５は、通電機構３と連動すると共に、調理用コップ６の本体１への載置を検知するコップ検知手段である。調理用コップ６は、コップ側コネクター７と直結しているカッター８を備え、調理用コップ嵌合部９と本体嵌合部１０で決められた位置に本体１に対し着脱自在に構成されている。カッター８とコップ側コネクター７は、カッター台１２に設けられており、防水シール材１１と共に、調理用コップ６から着脱自在に構成されている。また、調理用コップ６のハンドル１３の内部には、調理用コップの上方開口部６ｂを覆う容器蓋１４を検知する容器蓋検知手段１５が設けられており、コップ検知手段５に対応するように構成されている。
【０００４】
以上のように構成された従来の電動調理器の動作、作用は以下の通りである。
【０００５】
本体１に調理用コップ６を載せ、容器蓋１４が装着されると、ハンドル１３内部の容器蓋検知手段１５が動作し、本体１にあるコップ検知手段５を押し下げ、通電機構３が電気的に連結可能な状態になる。
【０００６】
通電機構３のスイッチ（図示せず）をＯＮ状態にすることにより、電動機２に通電され、本体側コネクター４とコップ側コネクター７を介して調理用コップ６内部のカッター８が回転する。調理終了後に調理用コップ６を清掃する場合、カッター台１２を取り外して、カッター８と調理用コップ６を洗浄する事ができるようになっている（例えば、特許文献１参照）。
【先行技術文献】
【特許文献】
【０００７】
【特許文献１】特表２００２−５２６１３５号公報
【発明の概要】
【発明が解決しようとする課題】
【０００８】
しかしながら、前記従来の電動調理器の構成では、ハンドル１３と調理用コップ６及びその注ぎ口６ａと調理用コップ嵌合部９や本体嵌合部１０等を構成する関係上、容器蓋連動の安全装置を動作させるためには、調理用コップ６の容器蓋検知手段１５が本体１のコップ検知手段５と連動する必要がある。
【０００９】
よって、調理用コップ嵌合部９と本体嵌合部１０を決められた位置で組み合わせるため、調理用コップ６に付随する調理用コップ嵌合部９やハンドル１３、容器蓋検知手段１５を決められた位置で構成する必要から、調理用コップ６は一体成型可能な樹脂等で作られていた。
【００１０】
また、調理用コップ６の容器部分に高温で洗浄可能かつ高級感のあるガラスを用いる場合、ガラスのねじ部の精度や防水シール材１１の圧縮量の経年変化の問題で容易に数十度の角度の締め付けズレが発生するので、別部品を作成するなどの対応や、接着剤やねじ等で固定する必要があり、組み立てを含む生産性での課題や、洗浄面でも別部品が固定され
ているので高温水や洗剤で洗浄出来ない等の課題があった。
【００１１】
本発明は、前記従来の課題を解決するもので、蓋連動の安全装置を有する調理用コップを容易な構成で、かつ調理用コップの容器部分をガラス等で作成しても清掃性の良い電動調理器を提供することを目的とする。
【課題を解決するための手段】
【００１２】
前記従来の課題を解決するため、本発明の電動調理器は、電動機と前記電動機に通電させる為の通電機構を内蔵する本体と、容器とハンドルと容器蓋とカッター台と容器台から成ると共に前記本体に着脱自在に載置される調理用コップと、前記容器台に設けられ前記本体の本体嵌合部と位置決めする容器台嵌合部と、前記通電機構と連動すると共に前記調理用コップの前記本体への載置を検知するコップ検知手段と、前記カッター台に回転自在に設けられると共に前記電動機で回転駆動されるカッターと、前記容器と前記カッター台を封密するための防水シール材と、前記容器の上方開口部を覆う容器蓋を検知し前記コップ検知手段に伝達する容器蓋検知手段を備え、前記容器と前記容器台に各々に対応した凹凸部分を設けて、前記容器が任意の位置で前記容器台に装着できるように構成したもので、前記調理用コップの分解・組み立てにおいて、容易に前記容器と容器蓋検知手段を前記容器台の所定の位置に確実に装着させることができるので、使用者が前記容器を取り外して高温水や洗剤を使用して容易に洗浄することができるだけでなく、従来使用に制約のあったガラスなどを前記容器に使用することができるようになり、生産性も向上する。
【発明の効果】
【００１３】
本発明の電動調理器は、調理用コップを形成する容器と容器台に各々に対応した凹凸部分を設けて、任意の位置で装着できるように構成したことで、前記調理用コップを分解して洗浄した後に、再度組み立てるときにも、ねじ締結のようにズレたりせず、容器に設けられた容器蓋検知手段と容器台をコップ検知手段と連動可能な状態に容易に組み立てることが出来るので、容器蓋に連動した安全装置を有する電動調理器において、容器の材質の制約を減少させ、分解・清掃性の向上した電動調理器とすることができる。
【図面の簡単な説明】
【００１４】
【図１】本発明の実施の形態１における電動調理器の断面図
【図２】（ａ）同電動調理器の容器の部分側面図、（ｂ）同電動調理器の容器台の部分斜視図、（ｃ）同電動調理器のカッター台の略半断面図
【図３】本発明の実施の形態２における電動調理器の断面図
【図４】本発明の実施の形態３における電動調理器の断面図
【図５】（ａ）同電動調理器の容器とハンドルの部分斜視図、（ｂ）同容器の部分側面図、（ｃ）同電動調理器の容器台の部分斜視図、（ｄ）同電動調理器のカッター台の斜視図
【図６】従来の電動調理器の断面図
【発明を実施するための形態】
【００１５】
第１の発明は、電動機と前記電動機に通電させる為の通電機構を内蔵する本体と、容器とハンドルと容器蓋とカッター台と容器台から成ると共に前記本体に着脱自在に載置される調理用コップと、前記容器台に設けられ前記本体の本体嵌合部と位置決めする容器台嵌合部と、前記通電機構と連動すると共に前記調理用コップの前記本体への載置を検知するコップ検知手段と、前記カッター台に回転自在に設けられると共に前記電動機で回転駆動されるカッターと、前記容器と前記カッター台を封密するための防水シール材と、前記容器の上方開口部を覆う容器蓋を検知し前記コップ検知手段に伝達する容器蓋検知手段を備え、前記容器と前記容器台に各々に対応した凹凸部分を設けて、前記容器が任意の位置で前記容器台に装着できるように構成したもので、前記調理用コップの分解・組み立てにおいて、容易に前記容器と容器蓋検知手段を前記容器台の所定の位置に確実に装着させることができるので、使用者が前記容器を取り外して高温水や洗剤を使用して容易に洗浄することができるだけでなく、従来使用に制約のあったガラスなどを前記容器に使用することができるようになり、生産性も向上する。
【００１６】
第２の発明は、特に、第１の発明の凹凸部分の断面形状を略三角形や略台形状に構成したもので、位置決めのズレを小さく出来ると共に、万力などで使用される略台形形状とすることで、凹凸部を小さくしても左右方向へ回したときの凹凸部分の強度を確保することができる。
【００１７】
第３の発明は、特に、第１又は第２の発明の凹凸部分の一つとして容器に容器凸部を設
け、容器台に片側が可動な容器台爪部を設け、前記容器凸部を、前記容器台の一部と前記容器台爪部とで上下に挟み込むようにして、前記容器台と前記容器を着脱自在に構成したもので、前記容器と前記容器台の着脱を容易に行なうことができる。
【００１８】
第４の発明は、特に、第１〜３のいずれか一つに発明のハンドルと容器を一体に構成すると共に、容器蓋検知手段を前記容器と分離可能に構成にしたもので、前記容器から前記ハンドルが緩んでズレたり、外れたりすることのない安全な構成とすることができる。
【００１９】
第５の発明は、特に、第１〜３のいずれか１つの発明のハンドルにハンドル接続部を設け、前記容器の外周部と前記ハンドル接続部の内周に各々に対応した凹凸部分を設けて、前記ハンドルを前記容器と着脱自在に構成したもので、前記容器から前記容器台を外した後、前記ハンドルもスムーズに下に引き抜けると共に、凹凸部で前記ハンドルが回転しないようにすることができる。
【００２０】
第６の発明は、特に、第１〜５のいずれか１つの発明の容器とカッター台の着脱は、前記容器に設けられた容器雄ねじ部と、前記カッター台に設けられたカッター台雌ねじ部で行なうように構成したもので、使用中の経年変化で各部が緩んできても、水漏れを起こす部分である前記容器と前記カッター台とその間にある前記防水シール材を増し締めすることで、長期の使用に耐えるようにすることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における電動調理器の断面図である。図２（ａ）は、同電動調理器の容器の部分側面図、図２（ｂ）は、同電動調理器の容器台の部分斜視図、図２（ｃ）は、同電動調理器のカッター台の略半断面図である。なお、本実施の形態における電動調理器の基本的な構成は、図６で示した従来の電動調理器と実質的に同じなので、同一部品については同一符号を用いてその説明を省略する。
【００２３】
図１及び図２において、本実施の形態における電動調理器の調理用コップ３０は、本体１に載置される容器台１７と、容器台１７に上方から着脱自在に取り付けられる容器１６と、容器台１７にねじ嵌合されるカッター台１２から構成されている。１４は、容器１６の上方開口部１６ｅを覆う容器蓋である。
【００２４】
容器１６には、断面が略台形状の容器凸部１６ａが設けられ、容器台１７には、容器凸部１６ａに対応する容器台凹部１７ａが設けられている。容器１６には、ハンドル１３がバンド１８とねじ１９にて固定されており、ハンドル１３の内部には、容器蓋１４の装着を検知する容器蓋検知手段１５が配設されている。容器台１７には、ハンドル１３と接続される開口部２０と、本体嵌合部１０で本体１と嵌合するように容器台嵌合部２５が設けられており、容器蓋検知手段１５がコップ検知手段５と連動するように構成されている。容器凸部１６ａは、下側を容器台１７のリブ１７ｃで、上側が可動の容器台爪部１７ｄで挟み込むように構成している。
【００２５】
またカッター台１２は、容器台１７に設けられた容器台雌ねじ部１７ｂでカッター台１２の雄ねじ部１２ａで締め付けられて、防水シール材１１が、容器１６に圧締されて調理用コップの防水を確保するように構成されている。
【００２６】
調理用コップ３０を分解して清掃するときは、容器台１７の容器台爪部１７ｄを外側に開き、容器１６をハンドル１３と一緒に容器台１７の上方に引き抜く。ハンドル１３は、
容器１６に固定しているバンド１８のねじ１９を緩めることで外せる。この状態で、洗剤や高温水に弱い部品はすべて取り外し、容器１６は単独となるので、高温水での洗浄や洗剤への付け置きなど自由に行なうことが出来る。
【００２７】
反対に調理用コップ３０を組み立てるときは、最初にハンドル１３を、バンド１８とねじ１９で容器１６に取り付ける。ハンドル１３と容器台１７の開口部２０を合わせて、容器１６の下側から容器台１７をはめ込む。このとき、容器１６の容器凸部１６ａと容器台１７の容器台凹部１７ａが嵌合すると共に、可動する容器台爪部１７ｄが外側に開いて、容器台凸部１６ａが挿入されるが、リブ１７ｃで挟み込むと共に容器台爪部１７ｄが元に戻り上下左右が固定される。
【００２８】
容器凸部１６ａと容器台凹部１７ａの断面形状は、略台形状なので、左右の力に対し、凹凸部を小さくしてもねじれ等に対する強度を確保出来る。また、ハンドル１３と容器台１７の位置が開口部２０で決まることから容器蓋検知手段１５は、本体１のコップ検知手段５と確実に連動するように組み立てられる。
【００２９】
なお、容器凸部１６ａと容器台凹部１７ａの断面形状を略三角形としても良い。
【００３０】
また、調理用コップ３０を簡易に洗浄したいときは、カッター台１２を回して取り外して、容器１６の内部とカッター８及び防水シール材１１を洗浄することもできる。
【００３１】
以上のように、本実施の形態によれば、容器蓋１４に連動する安全装置を有していても、使用者の要望が高い調理用コップ３０の容器１６をガラスなどで成型できるのみならず、分解して高温水や洗剤で洗浄し、再び容易に組み立てることができ、安全性の高い電動調理器を提供することが出来る。
【００３２】
（実施の形態２）
図３は、本発明の第２の実施の形態における電動調理器の断面図である。なお、上記第１の実施の形態における電動調理器と同一部品については、同一符号を用いてその説明を省略する。
【００３３】
本実施の形態における電動調理器の調理用コップ３０ａは、上記実施の形態１における調理用コップ３０と異なり、容器１６とハンドル１３は一体構造をしており、容器台１７の内部に容器蓋検知手段１５が内蔵されている。容器台１７の一部には、一方向を開口した形状のハンドル保持部１７ｅを形成し、ハンドル１３を挟むことで、容器台１７と容器１６の位置決めを行なうように構成されている。
【００３４】
容器１６には、注ぎ口２１があり、ハンドル１３と相対する位置に構成する必要があり、容器蓋１４も注ぎ口２１のため、装着位置が決められてしまう。その結果、容器蓋検知手段１５も決められた位置である必要があり、容器台１７と容器１６の位置が決まる。容器台１７と本体１の関係は、容器台嵌合部２５、本体嵌合部１０、コップ検知手段５を含め、上記実施の形態１と同様である。
【００３５】
以上のように、本実施の形態によれば、容器１６を洗浄する場合に、ハンドル１３が容器１６と一体なので、調理用コップ３０ａ全体を運ぶときの強度は、使用者の組み立て状態に左右されず常に確保されるので、より安全性の高い電動調理器を提供することが出来る。
【００３６】
（実施の形態３）
図４は、本発明の第３の実施の形態における電動調理器の断面図である。図５（ａ）は
、同電動調理器の容器とハンドルの部分斜視図、図５（ｂ）は、同容器の部分側面図、図５（ｃ）は、同電動調理器の容器台の部分斜視図、図５（ｄ）は、同電動調理器のカッター台の斜視図である。なお、上記第１、第２の実施の形態における電動調理器と同一部品については、同一符号を用いてその説明を省略する。
【００３７】
本実施の形態では、ハンドル１３と容器１６を接続するためにハンドル接続部２２を設け、ハンドル接続部２２の内面には、ハンドル接続凹部２２ａが設けられている。容器１６には、ハンドル接続凹部２２ａに対応するハンドル用凸部１６ｃが設けられている。容器１６のハンドル用凸部１６ｃの上部は、リブ１６ｄが突出しており、ハンドル接続部２２が、容器１６の上方に抜けないように構成されている。
【００３８】
また、カッター台１２の側部のカッター台雌ねじ部１２ｂは、ガラスなどで成型された容器１６の容器雄ねじ部１６ｂに防水シール材１１と共に締め付けられるように構成されている。
【００３９】
調理用コップ３０ｂを洗浄するときには、使用者は、容器台１７の容器台爪部１７ｄを開いて、容器台１７を下側に引き抜く。
【００４０】
ハンドル１３のハンドル接続部２２のハンドル接続凹部２２ａが容器１６のハンドル用凸部１６ｃから下側に引き抜かれて外れる。その後ハンドル１３を、容器台１７の開口部２０から外すことでねじなどを必要とせず、容易に分解することができる。逆に調理用コップ３０ｂを組み立てるときは、ハンドル１３に容器１６を挿入してハンドル接続凹部２２ａとハンドル用凸部１６ｃを嵌合させる。このようにハンドル接続凹部２２ａと容器１６のハンドル用凸部１６ｃが噛み合っているので、ハンドル１３は、容器１６とのねじりに対する強度は、バンド１８よりもはるかに強くなる。
【００４１】
また、カッター台１２と容器１６の着脱を直接互いに設けられたカッター台雌ねじ部１２ｂと容器雄ねじ部１６ｂで行なうことで、防水シール材１１がヘタッてきたり、容器台１７と容器１６の嵌合が緩んできても、直接容器１６とカッター台１２を締めこむことで防水性能を長期間にわたり確保できる。
【００４２】
以上のように、本実施の形態によれば、調理用コップ３０ｂのハンドル１３の分離を含めた分解組み立てが容易にできるとともに、各部品が緩んでくるような場合でも、水漏れを起こす部位である容器１６とカッター台１２と防水シール材１１を直接締め付けることで、長期に渡り防水すなわち濾水性能を確保できる。
【産業上の利用可能性】
【００４３】
以上のように、本発明にかかる電動調理器は、容器蓋に連動した安全装置を有する構成をしていても容器の分解組み立ての際、安全装置の動作不良を起こさないので、ジューサー、フードプロセッサーやミルなどの電動調理器以外でも蓋安全装置を装着し、容器を分解清掃する回転機器全般の用途にも適用できる。
【符号の説明】
【００４４】
１  本体
２  電動機
３  通電機構
４  本体側コネクター
５  コップ検知手段
７  コップ側コネクター
８  カッター
１０  本体嵌合部
１１  防水シール材
１２  カッター台
１２ｂ  カッター台雌ねじ部
１３  ハンドル
１４  容器蓋
１５  容器蓋検知手段
１６  容器
１６ａ  容器凸部
１６ｂ  容器雄ねじ部
１６ｃ  ハンドル用凸部
１６ｅ  上方開口部
１７  容器台
１７ａ  容器台凹部
１７ｄ  容器台爪部
２２  ハンドル接続部
２２ａ  ハンドル接続凹部
２５  容器台嵌合部
３０、３０ａ、３０ｂ  調理用コップ
【図１】
2010252825.tif 000003
【図２】
2010252825.tif 000004
【図３】
2010252825.tif 000005
【図４】
2010252825.tif 000006
【図５】
2010252825.tif 000007
【図６】
2010252825.tif 000008